(57)【特許請求の範囲】
【請求項１】
インクジェット記録シートに製版印刷方式を用い油性インキで印刷を行った後、水性インクでインクジェット記録を行うインクジェット記録方法において、該インクジェット記録シートが、支持体の少なくとも一方に接着剤と白色顔料を含有するインク受理層を設けた構成であり、インクジェット記録の単位ドット面積に占める油性インキ転写面積の割合が１０％以上６５％以下である領域に、インクジェット記録を行うことを特徴とするインクジェット記録方法。
【発明の詳細な説明】
【０００１】
【産業上の利用分野】
本発明は、油性インキで印刷した後に水性インクでインクジェット記録を行うインクジェット記録方法に関するものであり、特に、インクジェット記録された文字や画像が著しく高い鮮鋭度を有するインクジェット記録方法に関するものである。
【０００２】
【従来の技術】
インクジェット記録方式は、種々の作動原理によりインクの微小液滴を飛翔させて紙などの記録シートに付着させ、画像・文字などの記録を行なうものであるが、高速、低騒音、多色化が容易、記録パターンの融通性が大きい、現像−定着が不要などの特徴があり、漢字を含め各種図形およびカラー画像などの記録装置として種々の用途において急速に普及している。さらに、多部数印刷に適している製版印刷方式とは異なり、インクジェット記録方式は、その方式の特性上、少部数印刷に適しており、作成部数が少なくて済む用途においては、従来の製版印刷方式よりも低ランニングコストであることからフルカラー画像記録分野にまで広く応用されつつある。
【０００３】
しかしながら、現在のインクジェット記録方式の解像度は、機種によってはかなり高くなってきているものの、そのほとんどが未だ製版印刷方式と比較して低く、印画画像の画質が重要な用途においては不十分であった。
【０００４】
また、近年、インクジェット記録方式を使用したポスターなどの大判記録用途が伸長しつつあり、このような用途においては印画面積が大きいため、コンピュータの処理時間や記録時間がかかり、作業性の著しく悪化する問題があった。また、記録面積が多くなるため、必然的にインクの使用量も増加し、ランニングコストが増加する問題もあった。
【０００５】
上記の問題点を解決するために、本発明者らは従来の製版印刷方式とインクジェット記録の優位点を活かし、油性インキで印刷を行った後に水性インクでインクジェット記録するインクジェット記録シートを見いだした。
【０００６】
即ち、同一画像の中で、画質が重要で且つ大量に印刷しても差し支えない部分画像、又は印画面積が大きく且つ大量に印刷しても差し支えない部分画像については製版印刷方式で多部数印刷を行い、少量毎に異なった画像を印刷する部分画像についてはインクジェット記録方式で少部数印刷を行うものである。
【０００７】
しかしながら、油性インキで印刷を行った後に水性インクでインクジェット記録を行うと、油性インキ転写面積の多い部分で水性インクが弾いてしまい、インクジェット記録された文字や画像の鮮鋭度が著しく悪化する問題が発生した。
【０００８】
【発明が解決しようとする課題】
本発明の目的は、上記の技術分野において、従来の問題点を改良することにある。
【０００９】
特に、本発明では、油性インキで印刷を行った後、水性インクでインクジェット記録を行うインクジェット記録方法に関するものであり、特に、インクジェット記録された文字や画像が著しく高い鮮鋭度を有するインクジェット記録方法に関するものである。
【００１０】
【課題を解決するための手段】
本発明者らは、上記の問題解決につき鋭意検討を重ねた結果、インクジェット記録の単位ドット面積に占める油性インキ転写面積に注目し、特定割合にある領域に対してインクジェット記録を行うことによって、インクジェット記録された文字や画像の鮮鋭度を著しく高めることが可能であることを見いだした。
【００１１】
即ち、本発明は、製版印刷方式を用い油性インキで印刷を行った後、水性インクでインクジェット記録を行うインクジェット記録方法において、インクジェット記録の単位ドット面積に占める油性インキ転写面積の割合が１０％以上６５％以下である領域に、インクジェット記録を行うことを特徴とするインクジェット記録方法である。
【００１２】
以下、本発明のインクジェット記録方法を詳細に説明する。
【００１３】
本発明におけるインクジェット記録方法は、製版印刷方式を用い油性インキで印刷を行った後、インクジェット記録の単位ドット面積に占める油性インキ転写面積の割合が１０％以上６５％以下、更に好ましくは、１０％以上４０％以下である領域にインクジェット記録を行うものである。
【００１４】
インクジェット記録の単位ドット面積に占める油性インキ転写面積の割合が７０％超える領域にインクジェット記録を行った場合、油性インキによる印刷表面でインクジェット記録される水性インクが弾いてしまい、十分なインク吸収性が得られず、インクジェット記録した文字や画像の鮮鋭度が低下するため好ましくない。
【００１５】
本発明におけるインクジェット記録方法で使用されるインクジェット記録シートは、支持体の少なくとも一方に、接着剤と白色顔料を含有するインク受理層を設けた構成である。
【００１６】
接着剤としては、例えば、酸化澱粉、エーテル化澱粉、リン酸エステル化澱粉などの澱粉誘導体；カルボキシメチルセルロース、ヒドロキシエチルセルロースなどのセルロース誘導体；カゼイン、ゼラチン、大豆蛋白、ポリビニルアルコールまたはその誘導体；ポリビニルピロリドン、無水マレイン酸樹脂、スチレン−ブタジエン共重合体、メチルメタクリレート−ブタジエン共重合体などの共役ジエン系共重合体ラテックス；アクリル酸エステルおよびメタクリル酸エステルの重合体または共重合体などのアクリル系重合体などのアクリル系重合体ラテックス；エチレン酢酸ビニル共重合体などのビニル系重合体ラテックス；或はこれら各種重合体のカルボキシ基などの官能基含有単量体による官能基変性重合体ラテックス；メラミン樹脂、尿素樹脂などの熱硬化合成樹脂などの水性接着剤；ポリメチルメタクリレートなどのアクリル酸エステル；メタクリル酸エステルの重合体または共重合体樹脂；ポリウレタン樹脂、不飽和ポリエステル樹脂、塩化ビニル−酢酸ビニルコポリマー、ポリビニルブチラール、アルキッド樹脂などの合成樹脂系接着剤などを挙げることができる。
【００１７】
接着剤の配合量としては、全固形分１００重量部に対して、３〜７０重量部、好ましくは、５〜５０重量部であり、３重量部未満ではインク受理層の塗層強度が不足するし、７０重量部を超えるとインク吸収性が低下する。
【００１８】
本発明におけるインクジェット記録シートのインク受理層には、インク吸収性やインクの色再現性を向上させるために公知の白色顔料を１種以上用いる。
【００１９】
白色顔料としては、例えば、軽質炭酸カルシウム、重質炭酸カルシウム、炭酸マグネシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、アルミナ、コロイダルアルミナ、擬ベーマイト、水酸化アルミニウム、リトポン、ゼオライト、加水ハロイサイト、水酸化マグネシウムなどの白色無機顔料、スチレン系プラスチックピグメント、アクリル系プラスチックピグメント、ポリエチレン、マイクロカプセル、尿素樹脂、メラミン樹脂などの有機顔料などが挙げられる。
【００２０】
さらに、インク受理層には、添加剤として、染料定着剤、顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤などを適宜配合することもできる。
【００２１】
特に、水性インクの染料分である水溶性直接染料や水溶性酸性染料中のスルホン酸基、カルボキシル基、アミノ基などと不溶な塩を形成する２級アミン、３級アミン、４級アンモニウム塩からなるカチオン性染料定着剤を配合すると、インク受理層にて染料が捕獲されるために、色彩性の向上や不溶な塩の形成により水の滴下や吸湿によるインクの流れだしや滲みだしを抑制するので好ましい。
【００２２】
インク受理層の塗工量としては、要求される光沢、インク吸収性、支持体の種類などにより異なるが、１g/m2以上である。また、インク受理層はある一定の塗工量を２度に分けて塗設することも可能であり、１度に該塗工量を塗設するよりも光沢が向上する。
【００２３】
本発明においては、インク受理層の表面に、市販のアート・コート紙の光沢が付与される塗層（以下、光沢発現層と略す）を設けることが出来る。
【００２４】
インク受理層及び光沢発現層を塗設する方法は、各種ブレードコータ、ロールコータ、エアーナイフコータ、バーコータ、ロッドブレードコータ、カーテンコータ、ショートドウェルコータ、サイズプレスなどの各種装置をオンマシン或いはオフマシンで用いることができる。また、塗設後に、マシンカレンダー、ＴＧカレンダー、スーパカレンダー、ソフトカレンダーなどのカレンダー装置を用いて平坦化仕上げすることも可能である。
【００２５】
また、インク受理層上に光沢発現層をキャストコーティング法により設けることにより、市販のキャストコート紙に匹敵する光沢感を得ることも可能である。
【００２６】
本発明における、インク受理層の塗工量は特に制限はないが、１〜３０g/m2が好ましい。塗工量が１g/m2未満であると十分な印字濃度およびインク吸収性が得られないため好ましくなく、塗工量が３０g/m2を超えると記録シートのカール性が悪化するため好ましくない。また、インク受理層はある一定の塗工量を数回に分けて塗設することも可能であり、光沢を付与する場合は、一度に該塗工量を塗設するよりも光沢が向上する。
【００２７】
本発明で使用される支持体としては、ＬＢＫＰ、ＮＢＫＰなどの化学パルプ、ＧＰ、ＰＧＷ、ＲＭＰ、ＴＭＰ、ＣＴＭＰ、ＣＭＰ、ＣＧＰなどの機械パルプ、ＤＩＰなどの古紙パルプ、などの木材パルプと従来公知の顔料を主成分として、バインダーおよびサイズ剤や定着剤、歩留まり向上剤、カチオン化剤、紙力増強剤などの各種添加剤を１種以上用いて混合し、長網抄紙機、円網抄紙機、ツインワイヤー抄紙機などの各種装置で製造された原紙、さらに原紙に、澱粉、ポリビニルアルコールなどでのサイズプレスやアンカーコート層を設けた原紙や、それらの上にコート層を設けたアート紙、コート紙、キャストコート紙などの塗工紙も含まれる。この様な原紙および塗工紙に、そのまま本発明に係る塗層を設けても良いし、平坦化をコントロールする目的で、マシンカレンダー、ＴＧカレンダー、ソフトカレンダーなどのカレンダー装置を使用しても良い。また、ポリエステルフィルム、セルロースアセテートフィルムなどのプラスチックフィルム、発泡ポリオレフィン系合成紙、発泡ポリエステル系合成紙などの合成紙、ポリオレフィン樹脂被覆紙、樹脂含浸紙、不織布、布なども使用可能である。該支持体の坪量としては、通常４０〜３００g/m2であるが、特に制限されるものではない。
【００２８】
また、支持体を挟んだインク受理層の反対面には、カール適性を付与するために、バックコート層を塗設することも可能であり、その際の顔料としては、平板状顔料や加水ハロイサイトが好ましい。
【００２９】
本発明におけるインクジェットインクは、下記の着色剤、溶媒、その他の添加剤からなる水性記録液体である。
【００３０】
着色剤としては、直接染料、酸性染料、塩基性染料、反応性染料或は食品用色素などの水溶性染料が挙げられる。
【００３１】
インクの溶媒としては、水および水溶性の各種有機溶剤、例えば、メチルアルコール、エチルアルコール、ｎ−プロピルアルコール、イソプロピルアルコール、ｎ−ブチルアルコール、 sec−ブチルアルコール、tert−ブチルアルコール、イソブチルアルコールなどの炭素数１〜４のアルキルアルコール類；ジメチルホルムアミド、ジメチルアセトアミドなどのアミド類；アセトン、ジアセトンアルコールなどのケトンまたはケトンアルコール類；テトラヒドロフラン、ジオキサンなどのエーテル類；ポリエチレングリコール、ポリプロピレングリコールなどのポリアルキレングリコール類；エチレングリコール、プロピレングリコール、ブチレングリコール、トリエチレングリコール、1,2,6 −ヘキサントリオール、チオジグリコール、ヘキシレングリコール、ジエチレングリコールなどのアルキレン基が２〜６個のアルキレングリコール類；グリセリン、エチレングリコールメチルエーテル、ジエチレングリコールメチル（またはエチル）エーテル、トリエチレングリコールモノメチルエーテルなどの多価アルコールの低級アルキルエーテル類などが挙げられる。これらの多くの水溶性有機溶剤の中でも、ジエチレングリコールなどの多価アルコール、トリエチレングリコールモノメチルエーテル、トリエチレングリコールモノエチルエーテルなどの多価アルコールの低級アルキルエーテルが好ましい。その他の添加剤としては、例えば、ｐＨ調節剤、金属封鎖剤、酸化防止剤、防カビ剤、粘度調整剤、表面張力調整剤、湿潤剤、界面活性剤、および防錆剤などが挙げられる。
【００３２】
本発明におけるインクジェット記録は、電荷をかけたインクドットを絶えず噴射し、磁場によってインクドットを制御する連続方式や記録シートの記録するインクドットのみを噴射するオンデマンド方式等の各種方式を適用可能である。
【００３３】
本発明においては、インクジェット記録を行う前に、製版印刷方式を用い油性インキでインクジェット記録シートに印刷を行う。
【００３４】
本発明における印刷は、枚葉オフセット印刷、オフセット輪転印刷、グラビア輪転印刷、フレキソ印刷、スクリーン印刷、水無し印刷、活版印刷等の各種印刷方法が適用可能である。
【００３５】
本発明における印刷に使用する印刷インキは、平版インキ、凸版インキ、凸版輪転インキ、ゴム凸版インキ、ブリキ板インキ、グラビアインキ、特殊グラビアインキ、新聞インキ等の各種油性インキを適宜使用可能であり、インクジェット記録シートのインク受理層の塗層強度を考慮すると、中でも粘性の低いソフトインキの使用が好ましい。
【００３７】
【作用】
本発明のインクジェット記録方法は、インクジェット記録の単位ドット面積に占める油性インキ転写面積の割合が１０％以上６５％以下である領域に、インクジェット記録を行うことを特徴とするものであり、インクジェット記録された文字や画像が著しく高い鮮鋭度を得ることができる。
【００３８】
【実施例】
以下に、本発明の実施例を挙げて説明するが、本発明はこれらの例に限定されるものではない。また、実施例において示す「部」および「％」は、特に明示しない限り重量部および重量％を示す。
【００３９】
実施例１
［インクジェット記録シート作製］
ＬＢＫＰ（濾水度４００ｍｌｃｓｆ）８０部とＮＢＫＰ（濾水度４８０ｍｌｃｓｆ）２０部から成る木材パルプ１００部に対して、軽質炭酸カルシウム／重質炭酸カルシウム／タルクの比率が１０／１０／１０の顔料２０部、市販アルキルケテンダイマー０．１０部、市販カチオン系アクリルアミド０．０３部、市販カチオン化澱粉１．０部、硫酸バンド０．５部を調製後、長網抄紙機で抄造し、坪量９０g/m2の支持体を得た。
【００４０】
上記支持体表面に、合成非晶質シリカ（ファインシールＸ−３７Ｂ：徳山曹達製）１００部、ポリビニルアルコール（ＰＶＡ１２５：クラレ製）４０部、ラテックス（ＪＳＲ２０２６：日本合成ゴム製）５部、カチオン性染料定着剤（スミレッズレジン１００１：住友化学製）１５部として調液した塗液をエアーナイフコーターにより、乾燥塗布量８g/m2となるように塗工・乾燥してインクジェット記録シートを作製した。
【００４１】
［インクジェット記録の単位ドット面積の測定］
上記インクジェット記録シートに、インクジェットプリンタ（ＭＪ−７００Ｖ２Ｃ：エプソン製）でブラックインクの単位ドットを印字し、ルーゼックス画像処理装置で４０倍に拡大してドット面積を測定したところ、０．００７８５ｍｍ2であった。
【００４２】
上記インクジェット記録シートに、ローランドオフセット印刷機を使用して、ＴＲＡＮＳ−Ｇ−Ｓシアンインキ（大日本印刷製）で網点階調チャートを印刷し、室温で一昼夜放置した。
【００４３】
得られた印刷が施されたインクジェット記録シートの階調チャートを、ルーゼックス画像処理装置で４０倍に拡大して、それぞれのインクジェット記録の単位ドット面積（０．００７８５ｍｍ2）に占める油性インキ転写面積の割合を測定した。そして、転写面積の割合が１０％である領域に、インクジェットプリンタ（ＭＪ−７００Ｖ２Ｃ：エプソン製）でブラックインクの文字印字及びベタ印字を行った。
【００４４】
実施例２〜３、参考例１及び比較例１〜２
実施例１と同様にしてインクジェット記録シートの製造及び印刷を行った。但し、インクジェットプリンタでの印字については、表１に示した油性インキ転写面積の割合の領域に行った。
【００４５】
実施例１〜３、参考例１及び比較例１〜２の評価は、以下に示す方法により行い、結果を表１に示す。
【００４６】
１）鮮鋭度
印字した文字の鮮鋭度を目視評価し、文字のエッジの滲みが全く無く鮮明なものを◎、文字のエッジの滲みが若干あるが鮮明さにさほど影響の無いものを○、文字のエッジの滲みが有り鮮明さに欠けるものを△、文字のエッジの滲みが著しく悪く不鮮明なものを×として評価した。尚、インクジェット記録シートの特性としては、◎又は○の評価が必要である。
【００４７】
２）インク吸収性
印字直後にベタ印字面にＰＰＣ用紙を圧着したときのインクの転写状況を目視評価し、ＰＰＣ用紙に全くインクが転写しないものを◎、ＰＰＣ用紙にインクが僅かに転写するものを○、ＰＰＣ用紙にインクが著しく転写するものを△、ＰＰＣ用紙にインクがほとんど転写するものを×として評価した。尚、インクジェット記録シートの特性としては、◎又は○の評価が必要である。
【００４８】
【表１】
0003863580.tif 000002
【００４９】
上記表１から明らかなように、実施例１〜３のインクジェット記録方法では、インクジェット記録の単位ドット面積に占める油性インキ転写面積の割合が１０％以上６５％以下である領域にインクジェット記録を行ったため、記録シートのインク吸収性が高く、インクジェット記録された文字や画像の鮮鋭度が著しく高かった。
【００５０】
一方、比較例１及び２のインクジェット記録方法では、インクジェット記録の単位ドット面積に占める油性インキ転写面積の割合が７０％を超える領域にインクジェット記録を行ったため、記録シートのインク吸収性が低く、インクジェット記録された文字や画像の鮮鋭度が著しく低かった。特に、比較例２では、インクジェット記録の単位ドット面積に占める油性インキ転写面積の割合が１００％の領域にインクジェット記録を行ったため、油性印刷インキによってインクジェット記録の水性インクが弾かれ、全くインクジェット記録が不可能だった。
【００５１】
【発明の効果】
本発明のインクジェット記録方法は、油性インキで印刷を行った後、水性インクでインクジェット記録を行う場合に、インクジェット記録の単位ドット面積に占める油性インキ転写面積の割合が１０％以上６５％以下である領域に対して、インクジェット記録を行うことによって、インクジェット記録された文字や画像の鮮鋭度を著しく高いものとすることができる。